(57)【特許請求の範囲】
【請求項１】
一方の基板に対して液晶を介して他方の基板が対向配置され、この他方の基板は、前記一方の基板の周辺の一部に形成された映像信号端子群を被うことなく配置されている液晶表示パネルにおいて、前記一方の基板および他方の基板の重畳領域にて形成される有効表示領域が、前記他方の基板に対して前記信号端子群の側にずれて形成され、
他方の基板における有効表示領域は、そのずれによって前記映像信号端子群側の基板端辺から有効表示領域までの距離が、該有効表示領域を間にして前記映像信号端子群側の前記端辺と反対側の端辺から該有効表示領域までの距離よりも小さくなり、
前記他方の基板の液晶側の面と反対側の面に導電層が形成され、この導電層の外部回路との接続が、有効表示領域を間にして前記映像信号端子群が形成された側の辺と反対側の辺における有効表示領域の外方部においてなされていることを特徴とする液晶表示パネル。
【請求項２】
有効表示領域を間にして前記映像信号端子群が形成された側の辺と反対側の辺に各基板の間に封入した液晶を封止するための封止剤が形成されていることを特徴とする請求項１記載の液晶表示パネル。
【請求項３】
有効表示領域を構成する各画素は、一方の基板において、映像信号線からの映像信号が供給される画素電極と、この画素電極と離間され該映像信号線に対して基準となる信号が供給される対向電極とを備えることを特徴とする請求項１、２のうちいずれか記載の液晶表示パネル。
【発明の詳細な説明】
【０００１】
【発明の属する技術分野】
本発明は液晶表示パネルに関する。
【０００２】
【従来の技術】
液晶表示パネルは、液晶を介して互いに対向配置される一対の透明基板を外囲器とし、該液晶の広がり方向に多数の画素が形成されて構成されている。
【０００３】
各画素には、それら独自にその液晶に電界を発生させる手段が設けられ、該電界によって液晶の光透過率を制御するようになっている。
【０００４】
このことから、各透明基板のうち少なくとも一方の透明基板には、各画素に電界を発生させるための信号線が形成され、これら信号線は該透明基板の周辺にまで延在されて信号供給端子にまで引き出されている。
【０００５】
この信号供給端子は、たとえば該透明基板の一辺部およびこの一辺部に直交する他の一辺部にそれぞれ並設されて端子群を構成している。
【０００６】
このため、この透明基板と対向配置される他方の透明基板は、これら端子群が形成された領域を回避して配置されるようになっている。該端子群は外部回路と接続がなされるようになっており、これによって他方の透明基板が障害とならないためである。
【０００７】
したがって、一方の透明基板の中心と他方の透明基板の中心とは比較的大きくずれた状態で配置されていた。
【０００８】
そして、これにともない、液晶表示パネルの外枠（一方の透明基板の外枠に相当する）に対して有効表示領域がずれた状態で配置されていた。
【０００９】
【発明が解決しようとする課題】
しかし、このように構成された液晶表示パネルは、液晶表示装置の筐体（たとえばモニタ用等）に取り付けられる場合、その筐体の表示窓（開口窓）に液晶表示パネルの有効表示領域を合わせて配置させるため、該筐体の表示窓に対してずれた状態で取り付けることが強いられていた。
【００１０】
このことは、たとえばネジ等を用いて液晶表示パネルの筐体への取付けがその表示窓に対して対称的にできない場合がある。
【００１１】
このため、大きさの面で異なる液晶表示パネルに対する筐体への取付けにおいて煩雑になるとともに、その取付けに信頼性が乏しい等の不都合が生じるに到っている。
【００１２】
本発明はこのような事情に基づいてなされたものであり、その目的は、筐体にその表示窓に対してずれることなく取付けができる液晶表示パネルを提供することにある。
【００１３】
【課題を解決するための手段】
本願において開示される発明のうち、代表的なものの概要を簡単に説明すれば、以下のとおりである。
【００１４】
手段１．
一方の基板に対して液晶を介して他方の基板が対向配置され、この他方の基板は、前記一方の基板の周辺の一部に形成された信号端子群を被うことなく配置されている液晶表示パネルにおいて、
前記一方の基板および他方の基板の重畳領域にて形成される有効表示領域が、前記他方の基板に対して前記信号端子群の側にずれて形成されていることを特徴とするものである。
【００１５】
このように構成された液晶表示パネルは、その外輪郭（一方の基板の大きさに対応する）に対して有効表示領域がほぼ中心に位置づけられて形成されることになる。この場合、有効表示領域は一方の基板の縦方向（ｙ方向）においてのみほぼ中心に位置づけられていてもよいし、また、横方向（ｘ方向）においてのみほぼ中心に位置づけられていてもよい。
【００１６】
このため、たとえばネジ等を用いて液晶表示パネルの筐体への取付けをその表示窓に対してほぼ対称的にでき、大きさの面で異なる液晶表示パネルに対する筐体への取付けにおける煩雑さ、その取付けにおける信頼性の乏しさを解消することができるようになる。
【００１７】
手段２．
上記手段１の構成において、有効表示領域を間にして信号端子群が形成された側の辺と反対側の辺に各基板の間に封入した液晶を封止するための封止剤が形成されていることを特徴とするものである。
【００１８】
このように構成した液晶表示パネルは、上述した効果の他に、液晶の封入後において該液晶封入口を塞ぐ封止剤の一部が液晶内に漏出してしまい、液晶の比抵抗を低下させるようなことがあっても、この部分は有効表示領域の外側での現象に留めることになり、有効表示領域における表示に悪影響を及ぼしてしまう弊害を回避できる。
【００１９】
【発明の実施の形態】
以下、本発明による液晶表示パネルの実施例を図面を用いて説明する。
【００２０】
実施例１．
図１は本発明による液晶表示パネルの一実施例を示す平面図である。また、図１のＩＩ−ＩＩ線における断面図を図２に示している。
【００２１】
図１において、液晶表示パネル１は液晶を介して互いに対向配置された透明基板２を外囲器としている。
【００２２】
これら透明基板２のうち、一方の透明基板は下側基板２Ａと称し、他方の透明基板は上側基板２Ｂと称する。
【００２３】
下側基板２Ａは上側基板２Ｂよりも若干面積が大きく形成され、それらは図中下側辺および右側辺を一致づけられて対向配置されている。
【００２４】
下側基板２Ａは、その液晶側の面において、図示していないが、たとえば図中ｘ方向に延在しｙ方向に並設される走査信号配線と、これら走査信号配線と絶縁されてｙ方向に延在しｘ方向に並設される映像信号配線とが形成されている。
【００２５】
液晶表示パネル１の種類にもよって異なるが、通常、互いに隣接する走査信号配線と互いに隣接する映像信号配線とで囲まれる領域に画素領域が形成され、これら各画素領域の集合体によって有効表示領域ＡＲが形成されるようになっている。
【００２６】
そして、この有効表示領域ＡＲは、少なくとも下側基板２Ａと上側基板２Ｂとの重畳部に形成されるが、この実施例では、上側基板２Ｂの上側辺へ近接する状態で形成されている。換言すれば、上側基板２Ｂの下側辺から有効表示領域ＡＲまでの距離は上側辺から有効表示領域ＡＲまでの距離よりも大きく形成されている。
【００２７】
このように構成した理由は、液晶表示パネル１の上側辺には後に詳述するように映像信号端子群３が形成されている領域があるため、それに領域にほぼ相当する幅を有する部分を液晶表示パネル１の下側辺にも設けることによって、図中ｙ方向において、有効表示領域ＡＲを液晶表示パネル１の外輪郭（下側基板２Ａの外輪郭部に相当する）のほぼ中央に位置づけられるようにしたことにある。
【００２８】
さらに詳述すると、図３（ａ）は図１に示したと同様の平面図であり、その側面図を図３（ｂ）に示している。この図３（ｂ）から、下側基板２Ａの図中ｙ方向における中心に有効表示領域ＡＲのｙ方向における中心が位置づけられていることが判る。
【００２９】
これに対して、図４（ａ）は従来の液晶表示パネルの平面図であり、図３（ａ）に対応した図となっている。同図は、その有効表示領域ＡＲはその中心を上側基板２Ｂの中心に一致づけて形成したものとなっている。そして、その側面図である図４（ｂ）から明らかとなるように、下側基板２Ａの図中ｙ方向における中心に対して有効表示領域ＡＲのｙ方向における中心は大きくずれたものとなっている。
【００３０】
したがって、上述した実施例のようにすることによって、液晶表示パネル１の図中ｙ方向に対して有効表示領域ＡＲがほぼ中心に位置づけられて形成されることになり、たとえばネジ等を用いて液晶表示パネルの筐体への取付けをその表示窓に対してほぼ対称的にでき、大きさの面で異なる液晶表示パネルに対する筐体への取付けにおける煩雑さ、その取付けにおける信頼性の乏しさを解消することができるようになる。
【００３１】
ここで、この実施例における有効表示領域とは、実質的に表示として機能できる画素領域の集合体として定まる領域をいう。たとえば画素領域の集合体を下側基板２Ａに形成した場合においても、その周辺においてブラックマトリックス層によって遮光した場合は、このブラックマトリックスの開口部によって有効表示領域が決定される場合等があるからである。
【００３２】
なお、各画素領域には、たとえば走査信号配線からの走査信号によって駆動される薄膜トランジスタ、この薄膜トランジスタを介して映像信号配線からの映像信号が供給される画素電極等が形成されている。
【００３３】
下側基板２Ａに形成された各走査信号配線は図中左辺側に延在され、それら各延在部において走査信号端子を備えている。
【００３４】
このため、これら走査信号端子は下側基板２Ａの左辺側においてｙ方向に並設されて走査信号端子群４を構成するようになっている。
【００３５】
そして、この走査信号端子群４が形成された領域は上側基板２Ｂが被うことなく形成され、該走査信号端子群４と外部回路となる外付けの回路（たとえば半導体装置）との接続を容易にしている。
【００３６】
また、下側基板２Ａに形成された各映像信号配線は図中上辺側に延在され、それら各延在部において映像信号端子を備えている。
【００３７】
この場合も同様に、これら映像信号端子は下側基板２Ａの上辺側においてｘ方向に並設されて映像信号端子群３を構成するようになっている。
【００３８】
そして、同様に、この映像信号端子群３が形成された領域は上側基板２Ｂが被うことなく形成され、該映像信号端子群３と外部回路となる外付けの回路（たとえば半導体装置）との接続を容易にしている。
【００３９】
なお、上側基板２Ｂは、その周辺における液晶側の面にシール剤５が配置され、このシール剤５によって下側基板２Ａとの間に一定のギャップ（液晶の層厚に相当する）を保持して固着されている。
【００４０】
そして、シール剤５には、その一部に液晶封入口が形成され、この液晶封入口から各基板２Ａ、２Ｂとの間に液晶を封入した後に封止剤６によって封止するようなっているが、この実施例では特に、該液晶封入口は図中下側辺に形成されている。
【００４１】
そして、液晶封入口は、この実施例では、２個設けられているが、それぞれの液晶封入口とも図中下側辺に設けられ、他の辺には設けられていないようになっている。
【００４２】
このように形成された液晶封入口は、有効表示領域ＡＲから比較的大きな距離を保持して形成されることになる。
【００４３】
このため、液晶の封入後において該液晶封入口を塞ぐ封止剤６の一部が液晶内に漏出してしまい、液晶の比抵抗を低下させるようなことがあっても、この現象は有効表示領域ＡＲの外側の領域のみに留めることができ、有効表示領域ＡＲにおける表示に悪影響を及ぼしてしまう弊害を回避できるようになる。
【００４４】
実施例２．
図５は、実施例１の構成に基づいた他の実施例を示す平面図で、同図のＶＩ−ＶＩ線における断面図を図６に示している。
【００４５】
上側基板２Ｂの液晶とは反対側の面には、その有効表示領域を充分に被うようにして透明の導電膜７を形成する場合がある。
【００４６】
この導電膜７は、液晶表示パネル１の種類等によって、その機能は区々であるが、たとえばＥＭＩ対策あるいは液晶への静電気の影響回避のために等のために形成される。
【００４７】
そして、このように形成された導電膜７は、それを接地させるようにして構成する場合もある。
【００４８】
この場合、液晶表示パネル１の下側辺の有効表示領域ＡＲの外方の領域において、接地された他の導電材８とのコンタクトをとることによって、該コンタクトを確実にかつ信頼性よく行うことができるようになる。
【００４９】
液晶表示パネル１の下側辺は、上述したように、その下側辺の端辺から有効表示領域ＡＲまでの間において比較的大きなスペースが確保されていることから、この部分を利用して前記導電材８とのコンタクト領域とすることによって、該コンタクトの形成が容易となる。
【００５０】
実施例３．
図７は、本発明による液晶表示パネルの他の実施例を示す平面図である。
【００５１】
図１と対応する図となっており、同図と同符号のものは同一の機能を有する。また、同図のＶＩＩＩ−ＶＩＩＩ線における断面図を図８に示している。
【００５２】
図１と異なる構成は、まず、有効表示領域ＡＲにある。この有効表示領域ＡＲは、少なくとも下側基板２Ａと上側基板２Ｂとの重畳部となる領域であることは同様であるが、上側基板２Ａの右側辺へ近接する状態で形成されている。換言すれば、上側基板２Ｂの右側辺から有効表示領域ＡＲまでの距離は左側辺から有効表示領域ＡＲまでの距離よりも大きく形成されている。
【００５３】
液晶表示パネル１の左側辺には映像信号端子群４が形成されている領域があるため、その領域の幅に相当する領域を液晶表示パネル１の下側辺にも設けることによって、図中ｘ方向において、有効表示領域ＡＲを液晶表示パネル１の外輪郭（下側基板１の外輪郭に相当する）のほぼ中央に位置づけられるようにしたことにある。
【００５４】
そして、この場合においても、シール剤における液晶封入口は、液晶表示パネルの右側辺に形成することにより、封止剤６をその形成部分から有効表示領域まで比較的大きな距離を確保できるようにしている。
【００５５】
さらに、このような構成とすることによって、液晶を封入する際には、その封入時間を短くできるという効果も奏する。ｙ方向と平行な辺がｘ方向と平行な辺よりも短いからである。
【００５６】
実施例４．
図９は、実施例３の構成に基づいた他の実施例を示す図で、同図のＸ−Ｘ線における断面図を図１０に示している。
【００５７】
上述した実施例２と同様の趣旨で、上側基板２Ｂの液晶とは反対側の面に透明の導電膜７が形成されている場合、この導電膜７と接地された導電材８とのコンタクトの領域を、液晶表示パネル１の右側辺の端辺から有効表示領域ＡＲまでの領域としている。
【００５８】
実施例５．
図１１は、本発明による液晶表示パネルの他の実施例を示す平面図であり、図１に対応した図となっている。
【００５９】
上述した各実施例では、いずれも、液晶表示パネルの外輪郭に対して有効表示領域をｘ方向あるいはｙ方向にずらすようにして形成し、その方向に対して該有効表示領域をほぼ中央部に位置づけられるようにしたものである。
【００６０】
しかし、これに限定されることはなく、図１１に示すように、液晶表示パネル１の外輪郭に対して有効表示領域ＡＲをｘ方向およびｙ方向にずらすようにして形成し、それら各方向に対して該有効表示領域ＡＲをほぼ中央部に位置づけられるようにしてもよい。
【００６１】
すなわち、有効領域表示領域ＡＲは、上側基板２Ｂに対して映像信号端子群３の側はもちろんのこと走査信号端子群４の側にもずれて形成されている。
【００６２】
この場合、液晶の封止剤６は、有効表示領域を間にして映像信号端子群３が形成された側の辺と反対側の辺に形成してもよいし、また、走査信号端子群４が形成された側の辺と反対側の辺に形成してもよい。
【００６３】
また、実施例２および４に説明したように、導電膜７を形成する場合のその導電材８のコンタクト領域は、同様に、有効表示領域を間にして映像信号端子群３が形成された側の辺と反対側の辺に形成してもよいし、また、走査信号端子群４が形成された側の辺と反対側の辺に形成してもよい。
【００６４】
上述した各実施例では、そのいずれにおいても、表示領域における各画素の具体的な構成を示していないものとなっている。各画素の構成の相違に拘らず、それら全てにこの発明が適用できるからである。
【００６５】
このため、各画素において、走査信号線からの走査信号の供給によって駆動される薄膜トランジスタと、この薄膜トランジスタを介して映像信号線からの映像信号が印加される画素電極等を備える液晶表示装置（アクティブ・マトリックス型と称される）にも適用できる。
【００６６】
また、該画素電極と対となる対向電極が該画素電極が形成された基板と対向する基板側に形成され、それら各電極との間に発生する各基板とほぼ垂直方向の電界によって液晶の光透過率を制御するもの（縦電界方式と称される）、あるいは、前記対向電極が該画素電極が形成された基板に該画素電極と離間されて形成され、それら各電極との間に発生する各基板とほぼ平行方向の電界によって液晶の光透過率を制御するもの（横電界方式と称される）等においても適用できる。
【００６７】
【発明の効果】
以上説明したことから明らかなように、本発明による液晶表示パネルによれば、筐体にその表示窓に対してずれることなく取付けができるようになる。
【図面の簡単な説明】
【図１】本発明による液晶表示パネルの一実施例を示す平面図である。
【図２】図１のＩＩ−ＩＩ線における断面図である。
【図３】本発明による液晶表示パネルの効果を示す説明図である。
【図４】従来の液晶表示パネルの一例を示す構成図である。
【図５】本発明による液晶表示パネルの他の実施例を示す平面図である。
【図６】図５のＶＩ−ＶＩ線における断面図である。
【図７】本発明による液晶表示パネルの他の実施例を示す平面図である。
【図８】図７のＶＩＩＩ−ＶＩＩＩ線における断面図である。
【図９】本発明による液晶表示パネルの他の実施例を示す平面図である。
【図１０】図７のＸ−Ｘ線における断面図である。
【図１１】本発明による液晶表示パネルの他の実施例を示す平面図である。
【符号の説明】
１……液晶表示パネル、２Ａ……下側基板、２Ｂ……上側基板、３……映像信号端子群、４……走査信号端子群、６……封止材、７……導電膜、８……導電材、ＡＲ……有効表示領域。
【図１】
0003595174.tif 000002
【図２】
0003595174.tif 000003
【図３】
0003595174.tif 000004
【図４】
0003595174.tif 000005
【図５】
0003595174.tif 000006
【図６】
0003595174.tif 000007
【図７】
0003595174.tif 000008
【図８】
0003595174.tif 000009
【図９】
0003595174.tif 000010
【図１０】
0003595174.tif 000011
【図１１】
0003595174.tif 000012